(57)【要約】【課題】内径が異なる管体に巻回された粘着テープが可能な粘着テープカッターを提供する。【解決手段】管体６ａに巻回された粘着テープ６が管体６ａ内面において回転可能に貫入されるテープ保持部２と、テープ保持部２にて回転して引き出された粘着テープ６をガイドするテープガイド部３と、テープガイド部３でガイドされた粘着テープ６を切断する切断部４とを備えた粘着テープカッター１において、テープ保持部２にその最大幅を変化させる調節手段を備えたことを特徴とする粘着テープカッターとする。さらに、テープ保持部２は可動部２ａは固定部２ｂに回動可能に取り付けられた構造とし、可動部２ａ及び固定部２ｂには突片７ａ、７ｂを取り付ける。【選択図】  図１
2004149283.tif 000002
【特許請求の範囲】
【請求項１】
管体に巻回された粘着テープが当該管体内面において回転可能に貫入されるテープ保持部と、テープ保持部にて回転して引き出された前記粘着テープをガイドするテープガイド部と、当該テープガイド部でガイドされた前記粘着テープを切断する切断部とを備えた粘着テープカッターにおいて、
前記テープ保持部にその最大幅を変化させる調節手段を備えたことを特徴とする粘着テープカッター。
【請求項２】
前記テープ保持部が固定部と可動部とに分割され、前記可動部が前記固定部に対して離心して回動可能に取り付けられ、回動により前記テープ保持部の最大幅が変化する請求項１に記載の粘着テープカッター。
【請求項３】
前記テープ保持部が固定部と可動部とに分割され、前記可動部が前記固定部に対して摺動可能に取り付けられ、摺動により前記テープ保持部の最大幅が変化する請求項１に記載の粘着テープカッター。
【請求項４】
前記固定部又は前記可動部のいずれか一方に１以上の凸部が設けられ、他方に１以上の凹部が設けられ、前記凸部及び前記凹部が嵌合することにより、１以上の所定の最大幅で前記テープ保持部が固定される請求項２又は３に記載の粘着テープカッター。
【請求項５】
前記固定部及び／又は前記可動部に粘着テープ回転軸方向に延びる突片が取り付けられた請求項２乃至４のいずれかに記載の粘着テープカッター。
【発明の詳細な説明】
【０００１】
【発明の属する技術分野】
本発明は、管体に巻回された粘着テープを引き出し、所定の位置に貼付すると同時に該テープを切断する粘着テープカッターに関する。
【０００２】
【従来技術】
従来の粘着テープカッターは、管体に巻回された粘着テープが当該管体内面において回転可能に貫入されるテープ保持部を備えている。テープ保持部にて回転して引き出された前記粘着テープが所定の位置に貼り付けられるとともに切断される。粘着テープの回転を滑らかにし、粘着テープの引き出しを容易にすべく、テープ保持部は略円筒状をしているが、該テープ保持部の外径（最大幅）を調節する手段は備えていない。（例えば、特許文献１参照。）。
【０００３】
【特許文献１】
特開２０００−６３０２９号（第２〜３頁、第１図）
【０００４】
【発明が解決しようとする課題】
粘着テープの回転を滑らかにし、粘着テープの引き出しを容易にすべく、管体の内径に対してテープ保持部の外径がやや小さいことが必要とされる。一方、粘着テープの管体の内径は規格化されているが、製品によって異なることがある。
【０００５】
したがって、管体の内径がテープ保持部の外径より小さいため、粘着テープカッターに装着できなかったり、逆に管体の内径がテープ保持部の外径に対して著しく大きいため、粘着テープの回転が滑らかにならず粘着テープの引き出しがスムーズに行えなかったりする。すなわち、１つの粘着テープカッターで管体の内径の異なる２種類以上の粘着テープを装着することができなかった。
【０００６】
【課題を解決するための手段】
上記課題を解決するため、鋭意検討した結果、本発明は、管体に巻回された粘着テープが当該管体内面において回転可能に貫入されるテープ保持部と、テープ保持部にて回転して引き出された前記粘着テープをガイドするテープガイド部と、当該テープガイドでガイドされた前記粘着テープを切断する切断部とを備えた粘着テープカッターにおいて、
前記テープ保持部にその最大幅を変化させる調節手段を備えたことを特徴とする粘着テープカッターを採用した。
【０００７】
テープ保持部にその最大幅を変化させる調節手段が備えていれば、使用される粘着テープの管体の内径に合わせて保持部の最大幅を調節し、管体内径の異なる２種類以上の粘着テープを装着できる。
【０００８】
前記テープ保持部が固定部と可動部とに分割され、前記可動部が前記固定部に対して離心して回動可能に取り付けられ、回動により前記テープ保持部の最大幅が変化する粘着テープカッターとすることもできる。
【０００９】
テープ保持部が固定部と可動部とに分割され、前記可動部が前記固定部に対して離心して回動可能に取り付けられると、前記可動部が回動することによりテープ保持部の最大幅を変化させることができる。当該最大幅を粘着テープの管体の内径に応じて適宜変化させて、管体内径の異なる複数種類の粘着テープを装着することができる。
【００１０】
前記テープ保持部が固定部と可動部とに分割され、前記可動部が前記固定部に対して摺動可能に取り付けられ、摺動により前記テープ保持部の最大幅が変化する粘着テープカッターとすることもできる。
【００１１】
同様に、テープ保持部が固定部と可動部とに分割され、前記可動部が前記固定部に対して摺動可能に取り付けられると、前記可動部が摺動することによりテープ保持部の最大幅を変化させることができる。当該最大幅を粘着テープの管体の内径に応じて適宜変化させて、管体内径の異なる複数種類の粘着テープを装着することができる。
【００１２】
さらに、前記固定部又は前記可動部のいずれか一方に１以上の凸部が設けられ、他方に１以上の凹部が設けられ、前記凸部及び前記凹部が嵌合することにより、１以上の所定の最大幅で前記テープ保持部が固定される粘着テープカッターとすることもできる。
【００１３】
既述の通り、粘着テープの管体内径は規格化されている。したがって、予め凸部及び凹部を設けて、当該凸部及び凹部が嵌合した状態でテープ保持部の最大幅が規格化された管体内径に応じた状態で固定することができる。また、テープの回転より管体内面が可動部に当たり、保持部の最大幅が変化する不具合が起こることもない。
【００１４】
また、前記固定部及び／又は前記可動部に粘着テープ回転軸方向に延びる突片が取り付けられた粘着テープカッターとすることができる。
【００１５】
テープ保持部の最大幅が変化するとき、固定部及び／又は可動部が粘着テープ回転軸方向に分割されているので、当該方向の幅が十分に確保されていないことがあり、回転に伴って粘着テープががたつくことがある。かかる場合、固定部及び／又は可動部に当該回転軸方向に延びる突片を取り付け、粘着テープのがたつきを抑えることができ、粘着テープの回転をより滑らかにすることができる。
【００１６】
【発明の実施の形態】
以下、本発明を図面に基づいて詳細に説明する。図１は本発明の粘着テープカッターの概観斜視図である。図において、１は粘着テープカッターであり、２はテープ保持部で本体板８に取り付けられて、可動部２ａ及び固定部２ｂに分割され、それぞれに突片７ａ、７ｂが取り付けられている。可動部２ａは回動可能に固定部２ｂに取り付けられている。
【００１７】
３はテープガイド部、４は切断部である。テープ保持部２は、粘着テープ６の管体６の内面において回転可能に貫入している。粘着テープ６は回転軸Ａを軸として回転され、テープガイド部３のローラー３ａとガイド片３ｂとの間を通って引き出され、所定の位置に貼付され、切断部４により切断される。なお、ローラー３ａと切断部４は、本体板８と補助板９によって挟持されている。また、ガイド片３ｂを本体板８、補助板９それぞれから延び中間部が途切れた構造にすることにより、粘着テープ６を幅方向に縮めてガイド片３ｂの途切れた中間部を通すことができ、ローラー３ａとガイド片３ｂとの狭い隙間を通す必要がなくなる。もちろん、ガイド片３ｂは本体板８から補助板９まで途切れることなく延びてもよい。
【００１８】
管体６ａは紙や合成樹脂などでできており、その内径は例えば２インチ（約５ｃｍ）、３インチ（約７．５ｃｍ）などに規格化されている。図１では、想定されている最も管体内径の小さい粘着テープ（例えば管体内径２インチの粘着テープ）が保持されるように、テープ保持部２の最大幅が最も小さい状態となっている。後述するように、テープ保持部２の最大幅が変化するので、管体内径がより大きい粘着テープ（例えば管体内径３インチの粘着テープ）を装着することができる。なお、粘着テープ６の基材は、紙、布、セロハンやポリプロピレンなどの合成樹脂フィルムのいずれでも構わない。
【００１９】
なお、カバー５を設けると、カバー５及びテープ保持部２により粘着テープ６を挟持することにより貼付作業が容易になる。なお、作業していないときの安全のため、切断部４に別途カバー（図示せず）を設けてもよい。
【００２０】
図２はテープ保持部を示す図である。図２（ａ）において、テープ保持部２は、テープ回転軸Ａ方向に可動部２ａと固定部２ｂに分割されている。固定部２ｂは本体板８に取り付けられ、可動部２ａは固定部２ｂに回動可能に取り付けられている。さらに、可動部２ａと固定部２ｂには、突片７ａ、７ｂが取り付けられている。
【００２１】
テープ回転軸Ａ方向から見た図２（ｂ）では、テープ保持部２の最大幅はＤ１となっている。テープ保持部２の最大幅の調節範囲のうち、Ｄ１は最も小さい最大幅で、想定されている最も管体内径の小さい粘着テープが装着できる。
【００２２】
可動部２ａが軸支部１０を中心にして回動すると、図２（ｃ）、（ｄ）に示すように、テープ保持部２の最大幅がＤ２となる。したがって、管体内径がより大きい粘着テープを装着することができる。また、テープ回転軸Ａ方向に延びる突片７ａ、７ｂにより、粘着テープの管体内面がガイドされるので、粘着テープががたつくことがなく、回転が滑らかになり、粘着テープの引き出しがスムーズにできる。
【００２３】
なお、可動部２ａは固定部２ｂに、軸支部１０で回動可能に取り付けられている。軸支部１０は、図２（ｄ）のＢ−Ｂ’断面を示す図３（ａ）に示すように、可動部２ａ及び固定部２ｂに開けられた穴に通されたビス１１と、ナット１２により軸支される。もちろん、ワッシャ１３等を使用してもよく、可動部２ａに穴を開けずタッピングビスで軸支することもでき、ビス１１などの向きを上下逆にして取り付けることもできる。
【００２４】
また、嵌合部２０を設けて、可動部２ａを固定することもできる。図２（ｄ）のＣ−Ｃ’断面を示す図３（ｂ）において、可動部２ａに凸部２１、固定部に凹部２２が設けられ、所定の最大幅になったとき、凸部２１と凹部２２とが嵌合する位置にある。したがって、当該嵌合により、可動部２ａが固定されるので、テープの回転により管体内面が当たって、最大幅が変化することはない。なお、凹部２２は貫通した穴であってもよく、可動部２ａに凹部、固定部に凸部を設けてもよい。また、粘着テープの管体内径に応じて、複数の凹部及び／又は凸部を設けることもできる。また、図３（ａ）、（ｂ）において突片７ａ、７ｂは省略している。
【００２５】
また、可動部２ａは固定部２ｂに摺動可能に取り付けてもよい。図４（ａ）において、可動部２ａは固定部２ｂに設けられた長穴３０に沿って摺動可能に取り付け部３１により取り付けられて、テープ保持部２の最大幅はＤ１となっている。図４（ｂ）に示すように、可動部２ａが摺動すると、最大幅がＤ２となる。なお、図４（ｃ）のＥ−Ｅ’断面を示すように、可動部２ａはビス１１、ナット１２、ワッシャ１３で取り付けることができる。また、凹部及び凸部による嵌合により、可動部を固定することもできる。また、図４（ｂ）、（ｃ）において突片７ａ、７ｂは省略している。
【００２６】
【発明の効果】
以上、説明したように、本発明の粘着テープカッターは、上記のような構成を採っているので、管体内径の異なる２種類以上の粘着テープを装着することが可能となった。
【図面の簡単な説明】
【図１】本発明に係る粘着テープカッターの概観斜視図である。
【図２】テープ保持部を示す図で、図２（ａ）は最大幅がＤ１のときの斜視図、図２（ｂ）は最大幅がＤ１のときのテープ回転軸方向から見た図、図２（ｃ）は最大幅がＤ２のときの斜視図、図２（ｄ）は最大幅がＤ２のときのテープ回転軸方向から見た図である。
【図３】テープ保持部の断面図であり、図３（ａ）は図２（ｄ）のＢ−Ｂ’断面を示す図、図３（ｂ）は図２（ｄ）のＣ−Ｃ’断面を示す図である。
【図４】摺動により調節されるテープ保持部を示す図であり、図４（ａ）は最大幅がＤ１のときのテープ回転軸方向から見た図、図４（ｂ）は最大幅がＤ２のときのテープ回転軸方向から見た図、図４（ｃ）はテープ保持部のＥ−Ｅ’断面図である。
【符号の説明】
１            粘着テープカッター
２            テープ保持部
２ａ          可動部
２ｂ          固定部
３            テープガイド部
４            切断部
５            カバー
６            粘着テープ
６ａ          管体
７ａ、７ｂ    突片
【図１】
2004149283.tif 000003
【図２】
2004149283.tif 000004
【図３】
2004149283.tif 000005
【図４】
2004149283.tif 000006